(57)【要約】【課題】より手間の少ない状態で接続可能な電気接続部を有する電動工具を提供する。【解決手段】グラインダは、押下開始信号やオン信号を伝達する信号線２３ｇ，２３ｓ，２３ｉ及び電力を供給する電源線２３ｐが接続される端子ユニット２３と、端子ユニット２３が取り付けられるスイッチボックス２４と、を備えており、端子ユニット２３は、信号線２３ｇ，２３ｓ，２３ｉと接続される信号端子８２ｇ，８２ｓ，８２ｉと、電源線２３ｐと接続される電源端子８２ｐと、を有しており、スイッチボックス２４は、これに取り付けられた端子ユニット２３における信号端子８２ｇ，８２ｓ，８２ｉと導通するスイッチ側信号端子１０２ｇ，１０２ｓ，１０２ｉと、スイッチボックス２４に取り付けられた端子ユニット２３における電源端子２３ｐと導通するスイッチ側電源端子８２ｐと、を有している。【選択図】図７
2018192580.tif 000002
【特許請求の範囲】
【請求項１】
信号を伝達する信号線及び電力を供給する電源線が接続される端子ユニットと、
前記端子ユニットが取り付けられる部品と、
を備えており、
前記端子ユニットは、前記信号線と接続される信号端子と、前記電源線と接続される電源端子と、を有しており、
前記部品は、取り付けられた前記端子ユニットにおける前記信号端子と導通する部品側信号端子と、取り付けられた前記端子ユニットにおける前記電源端子と導通する部品側電源端子と、を有している
ことを特徴とする電動工具。
【請求項２】
前記端子ユニットは、前記信号端子及び前記電源端子の少なくとも一方を囲むリング部を有している
ことを特徴とする請求項１に記載の電動工具。
【請求項３】
前記信号端子及び前記部品側信号端子、並びに、前記電源端子及び前記部品側電源端子のうちの少なくとも一組が、互いに接触することで導通するものであり、それら互いに接触する端子同士のうちの少なくとも一方が、弾性を有することで、接触した端子に対して押し付けられる
ことを特徴とする請求項１又は請求項２に記載の電動工具。
【請求項４】
前記端子ユニットは、前記信号端子及び前記電源端子の少なくとも一部を保持する端子ベースを有しており、
前記端子ベースの外側には、前記端子ベースより柔らかいカバーが配置されている
ことを特徴とする請求項１ないしは請求項３の何れかに記載の電動工具。
【請求項５】
前記端子ユニットと前記部品の一方は、突体を有しており、それらの他方は、前記突体を案内するガイドを有している
ことを特徴とする請求項１ないしは請求項４の何れかに記載の電動工具。
【請求項６】
信号を伝達する信号線及び電力を供給する電源線が接続される端子ユニットと、
前記端子ユニットが取り付けられる部品と、
を備えており、
前記端子ユニットは、前記信号線と接続される信号端子と、前記電源線と接続される電源端子と、を有しており、
前記部品は、取り付けられた前記端子ユニットにおける前記信号端子と導通する部品側信号端子と、取り付けられた前記端子ユニットにおける前記電源端子と導通する部品側電源端子と、を有しており、
前記端子ユニット及び前記部品の少なくとも一方は、互いに導通した前記信号端子と前記部品側信号端子、及び、互いに導通した前記電源端子と前記部品側電源端子、の少なくとも一方を、前記端子ユニットの前記部品に対する取り付けによりシールするシール部を有している
ことを特徴とする電動工具。
【発明の詳細な説明】
【技術分野】
【０００１】
本発明は、グラインダ等の電動工具に関する。
【背景技術】
【０００２】
特開２０１５−１７４２１４号公報（特許文献１）に示されるように、ブラシレスモータ６を備えた充電式グラインダが知られている。
ブラシレスモータ６の後インシュレータ１５には、回転検出素子を搭載したセンサ回路基板１７が取り付けられており、回転検出素子の信号線２１は、センサ回路基板１７の上部から引き出されている。
又、後インシュレータ１５には、３対（６個）のコイル１６について３個の円弧状の板金部材２２によって６個のヒュージング端子１９を介してそれぞれ短絡する短絡部材１８が取り付けられており、各板金部材２２には、Ｕ相，Ｖ相，Ｗ相の各電源線２４が溶接される。
尚、信号線２１及び各電源線２４は、コントローラ７４に直付けされる。
【先行技術文献】
【特許文献】
【０００３】
【特許文献１】特開２０１５−１７４２１４号公報
【発明の概要】
【発明が解決しようとする課題】
【０００４】
上述の充電式グラインダでは、信号線２１がセンサ回路基板１７に直付けされており、又電源線２４が板金部材２２に溶接されているため、それらの接続が、ある程度の慣れを要し、又信号線２１と電源線２４で個々に行われる点で、比較的に手間を要するものとなっている。
又、信号線２１や電源線２４は、一度接続すると分離が困難となり、センサ回路基板１７及びコントローラ７４の一方、あるいはブラシレスモータ６及びコントローラ７４の一方について故障等により交換を要することとなった場合、手間をかけてこれらを互いに分離するか、他方が交換を要していなくても双方共に交換するか、何れかの対処が必要となってしまう。
そこで、本発明の主な目的は、より手間の少ない状態で接続可能な電気接続部を有する電動工具を提供することである。
又、本発明の別の主な目的は、互いに電気的に接続された電気部品の一部について容易に交換可能である電動工具を提供することである。
【課題を解決するための手段】
【０００５】
上記目的を達成するために、請求項１に記載の発明は、信号を伝達する信号線及び電力を供給する電源線が接続される端子ユニットと、前記端子ユニットが取り付けられる部品と、を備えており、前記端子ユニットは、前記信号線と接続される信号端子と、前記電源線と接続される電源端子と、を有しており、前記部品は、取り付けられた前記端子ユニットにおける前記信号端子と導通する部品側信号端子と、取り付けられた前記端子ユニットにおける前記電源端子と導通する部品側電源端子と、を有していることを特徴とするものである。
請求項２に記載の発明は、上記発明において、前記端子ユニットは、前記信号端子及び前記電源端子の少なくとも一方を囲むリング部を有していることを特徴とするものである。
請求項３に記載の発明は、上記発明において、前記信号端子及び前記部品側信号端子、並びに、前記電源端子及び前記部品側電源端子のうちの少なくとも一組が、互いに接触することで導通するものであり、それら互いに接触する端子同士のうちの少なくとも一方が、弾性を有することで、接触した端子に対して押し付けられることを特徴とするものである。
請求項４に記載の発明は、上記発明において、前記端子ユニットは、前記信号端子及び前記電源端子の少なくとも一部を保持する端子ベースを有しており、前記端子ベースの外側には、前記端子ベースより柔らかいカバーが配置されていることを特徴とするものである。
請求項５に記載の発明は、上記発明において、前記端子ユニットと前記部品の一方は、突体を有しており、それらの他方は、前記突体を案内するガイドを有していることを特徴とするものである。
上記目的を達成するために、請求項６に記載の発明は、信号を伝達する信号線及び電力を供給する電源線が接続される端子ユニットと、前記端子ユニットが取り付けられる部品と、を備えており、前記端子ユニットは、前記信号線と接続される信号端子と、前記電源線と接続される電源端子と、を有しており、前記部品は、取り付けられた前記端子ユニットにおける前記信号端子と導通する部品側信号端子と、取り付けられた前記端子ユニットにおける前記電源端子と導通する部品側電源端子と、を有しており、前記端子ユニット及び前記部品の少なくとも一方は、互いに導通した前記信号端子と前記部品側信号端子、及び、互いに導通した前記電源端子と前記部品側電源端子、の少なくとも一方を、前記端子ユニットの前記部品に対する取り付けによりシールするシール部を有していることを特徴とするものである。
【発明の効果】
【０００６】
本発明の主な効果は、より手間の少ない状態で接続可能な電気接続部を有する電動工具が提供されることである。
又、本発明の別の主な効果は、互いに電気的に接続された電気部品の一部について容易に交換可能である電動工具が提供されることである。
【図面の簡単な説明】
【０００７】
【図１】本発明に係るグラインダの斜視図である。
【図２】図１の縦中央断面図である。
【図３】図１の横中央断面図である。
【図４】図１における本体ハウジング左部及び一部の部材の斜視図である。
【図５】図１における端子ユニットないしスイッチの右面・下面・後面が現れた（ａ）斜視図，（ｂ）分解斜視図である。
【図６】図５における端子ユニットの左面・上面・後面が現れた（ａ）斜視図，（ｂ）分解斜視図である。
【図７】図５における端子ユニットないしスイッチの（ａ）下面図，（ｂ）右面図，（ｃ）（ｂ）のＡ−Ａ線断面図，（ｄ）同Ｂ−Ｂ線断面図である。
【図８】（ａ）は図５におけるスイッチのスイッチ側信号端子部を離した斜視図，（ｂ）は同端子部の斜視図，（ｃ）は同端子部の下面図，（ｄ）は同端子部の中央縦断面図である。
【図９】図５における端子ユニットないしスイッチの信号線に係る回路図である。
【発明を実施するための形態】
【０００８】
≪全体構成等≫
以下、本発明の実施の形態が適宜図面に基づいて説明される。
図１は電動工具の一例であるグラインダ１の斜視図であり、図２はグラインダ１の縦中央断面図であり、図３はグラインダ１の横中央断面図である。図２及び図３において、配線等の一部内部機構が省略されている。
図２における右がグラインダ１の前であり、同図における上がグラインダ１の上であり、図３における右がグラインダ１の前であり、同図における上がグラインダ１の左であるが、被加工物や作業状況ないし部材の移動等に応じ、方向は適宜変化し得る。
【０００９】
グラインダ１は、前後方向に沿う本体部２と、本体部２の前側に設けられる出力部４を備えている。
本体部２ないし出力部４の外郭は、ハウジング６となっている。
ハウジング６は、本体部２の外郭となる本体ハウジング８と、その前に配置される円盤状のベアリングリテーナ１０と、ベアリングリテーナ１０の前に配置されるギヤハウジング１２と、その下に配置されるベアリングリテーナ１４を有している。ギヤハウジング１２及びベアリングリテーナ１４は、出力部４の外郭となっている。
本体ハウジング８は、半割であり、本体ハウジング左部８ａと本体ハウジング右部８ｂとが複数のネジ８ｃにより互いに組み合わせられることで形成されている。
ベアリングリテーナ１０とギヤハウジング１２は、本体ハウジング８の前部に対して、共通する複数（４本）のネジ１２ａによって固定されている。
【００１０】
図４は、本体ハウジング左部８ａに対して一部の部材が取り付けられた状態を示す斜視図である。
本体ハウジング８の後部には、バッテリ１６を装着するバッテリ装着部１８が形成されている。
バッテリ装着部１８は、本体ハウジング８における他の部分より上下左右に広がる部分に、端子台２０が取り付けられることで形成されている。端子台２０は、上下に延びる一対の端子レール２０ａを有する。
バッテリ１６は、ブロック状であり、内部に図示されないバッテリセルが複数配置されていて、出力電圧がここでは１４．４Ｖ（ボルト）となっている。バッテリ１６は、バッテリ装着部１８の端子台２０の各端子レール２０ａを受け入れる一対の端子溝１６ａ（図３）を備えている。
端子台２０の前方には、コントローラ２１が配置されている。コントローラ２１は、端子台２０に対し、下方に行くほど離れるように、前下がりに配置されている。コントローラ２１は、各端子レール２０ａに対し、図示されない配線により電気的に接続されている。コントローラ２１は、グラインダ１の作動状態を表示する表示部２２を有している。表示部２２は、本体ハウジング８（バッテリ装着部１８）外面において露出している。
【００１１】
コントローラ２１の前方であって、本体ハウジング８の中央部内には、端子ユニット２３と、これが取り付けられる対象部品としてのスイッチボックス２４が配置されている。
端子ユニット２３は、コントローラ２１と、一対の電源線２３ｐ、及び複数（３本）の信号線２３ｇ，２３ｓ，２３ｉによって、電気的に接続されている。尚、図４において、これらリード線の一部が示されている。
スイッチボックス２４は、押下可能なボタン２４ａを有しており、ボタン２４ａが前方となる状態で設置されている。ボタン２４ａはスイッチボックス２４における他の部分に対して前方に突出しており、ボタン２４ａが僅かに押されると（ボタン２４ａの押され始め位置への押下）、スイッチボックス２４は押下開始信号を発信し、ボタン２４ａが押され始め位置を超える所定位置以上に押されると、スイッチボックス２４はオン信号を発信する。
端子ユニット２３は、スイッチボックス２４の右側に取り付けられている。
【００１２】
スイッチボックス２４のボタン２４ａは、スライドアーム機構２６により操作される。
スライドアーム機構２６は、スライダ３０と、アーム３１と、シーソー片３２と、を備えている。
スライダ３０は、本体ハウジング８の前端部外面において、前後にスライド可能に設けられている。スライダ３０の下部は、下方に突出する突出片３０ａとなっており、本体ハウジング８内に入っている。
アーム３１は、本体ハウジング８内の上部において前後に延びるように配置されている。アーム３１の前端部には前孔３１ａが開けられており、前孔３１ａにはスライダ３０の突出片３０ａが入れられている。アーム３１は、前後にスライド可能に設けられている。
シーソー片３２は、中央に横孔を有する板状の部材で、本体ハウジング８内において左右方向に設けられた軸３３に横孔を入れ、上下に延びた状態で、軸３３周りで揺動可能に設けられている。シーソー片３２の上部は、アーム３１の後端部に開けられた後孔３１ｂに入っており、シーソー片３２の下部は、スイッチボックス２４のボタン２４ａの前に配置されている。
スライダ３０が前に押されると、突出片３０ａないし前穴３１ａを介してアーム３１が前方に移動し、シーソー片３２の上部が後孔３１ｂを介してアーム３１と共に前方に移動することで、シーソー片３２が軸３３周りで揺動して、シーソー片３２の下部がボタン２４ａを押下する。スライダ３０の前方へのスライド量に応じ、ボタン２４ａの押下量が変化する。
【００１３】
本体ハウジング８内には、電動のモータ３６が固定されている。モータ３６は、ＤＣ駆動のブラシレスモータである。本体ハウジング８は、モータ３６を搭載することから、モータハウジングの役割を担う。
モータ３６は、本体ハウジング８に対して固定される円筒状のステータ３８と、ステータ３８の内側に配置されるロータ３９を備えている（インナーロータ）。
ステータ３８は、軸方向が前後方向であり内方に突出する複数（６個）の内歯を有する円筒状の固定子鉄心４０と、固定子鉄心４０の前後に設けられる前絶縁部材４１及び後絶縁部材４２と、前絶縁部材４１及び後絶縁部材４２を介して固定子鉄心４０の内歯にそれぞれ巻かれる複数（６個）の駆動コイル４４とを有する。又、後絶縁部材４２には、センサ基板４６が複数のネジ４６ａで固定されている。センサ基板４６の前面には、複数（３個）の図示されない磁気センサが固定されている。更に、後絶縁部材４２の後面周縁には、各駆動コイル４４とセンサ基板４６を電気的に接続する接点としてのコイル接続部４７が、合計６個設けられている。コイル接続部４７は、下方に突出した端子部４８と電気的に接続されており、端子部４８には図示されないリード線の一端が接続されていて、リード線の他端は、コントローラ２１に接続されている。
ロータ３９は、回転軸（ロータ軸）であるモータ軸５０と、モータ軸５０の周囲に配置された円筒状の回転子鉄心５１と、周方向に極性が交互に変わる状態で回転子鉄心５１に埋め込まれた複数の板状の永久磁石５２と、これらの後側（ステータ３８のセンサ基板４６側）において放射状に配置された複数の図示されないセンサ用永久磁石とを有する。回転子鉄心５１と、各永久磁石５２と、センサ用永久磁石は、ロータアッセンブリを構成する。永久磁石５２は、回転子鉄心５１の外側に配置された周方向に極性が交互に変わる筒状の永久磁石にすることも可能である。
モータ軸５０における回転子鉄心５１の前側には、筒状で樹脂製のスリーブ５４が設けられている。スリーブ５４の前方に、モータ軸５０の前部の周りに配置されるモータ前軸受５５が設けられている。モータ前軸受５５は、ベアリングリテーナ１０に取り付けられている。モータ前軸受５５の前側であって、モータ軸５０の先端部には、ピニオン５６が、モータ軸５０と一体に固定されている。他方、モータ軸５０の後端部は、モータ後軸受５７によって回転可能に支持されている。モータ後軸受５７は、本体ハウジング８内において断面が前方に開放するＵ字状となる状態で内方に突設されたリブ５８に保持されている。
【００１４】
モータ軸５０の前部周辺であって、スリーブ５４とベアリングリテーナ１０の間には、ファン６０が配置されている。ファン６０は、複数枚の羽根を有する遠心ファンであり、モータ軸５０に一体に固定されている。
ファン６０の外方には、本体ハウジング左部８ａに形成された複数の排気口６１が配置されている（図４）。
【００１５】
モータ軸５０のピニオン５６は、ギヤハウジング１２内に配置されたベベルギヤ６２に噛み合っている。ベベルギヤ６２は、スピンドル６６に固定されている。
スピンドル６６は、モータ軸５０と略９０°の角度を有するよう、上下方向を向くように配置されている。即ち、スピンドル６６（出力部４の出力軸）は、モータ軸５０に対して略９０°の角度を有しており、グラインダ１は、アングル工具（アングル電動工具）となっている。
スピンドル６６の上部はギヤハウジング１２内に配置され、中央部はベアリングリテーナ１４内に配置され、下部はベアリングリテーナ１４から露出している。
スピンドル６６の上端部は、ギヤハウジング１２に固定されたスピンドル上軸受７０内に入っている。スピンドル６６の中央部は、ベアリングリテーナ１４に固定されたスピンドル下軸受７４内に入っている。
スピンドル６６の下端部には、円盤状の砥石７６（先端工具）が装着される。ベアリングリテーナ１４の下部には、砥石７６の周囲（後半）に配置可能なホイールカバー７８が取り付けられる。
【００１６】
≪端子ユニットの構成等≫
以下、端子ユニット２３について、主に図５ないし図９に基づいて更に詳細に説明される。尚、図２，図３，図７において、スイッチボックス２４の内部機構は図示を省略されている。
スイッチボックス２４の右側に取り付けられる端子ユニット２３は、樹脂（絶縁体，例えばポリアミド）製の端子ベース８０と、端子ベース８０に組み付けられる金属（導体）製の上下の電源端子８２ｐないし中央の各信号端子８２ｇ，８２ｓ，８２ｉと、端子ベース８０の一部を覆うカバー８４と、を備えている。
【００１７】
端子ベース８０は、前上角と前下角が切り欠かれた薄直方体状（側面視Ｔ字形状）であり、左面の中央部に、他の左面部分より右方に窪む矩形リング状の窪み部９０を有している。端子ベース８０の左面における、窪み部９０で囲まれた部分は、窪み部９０から左方に突出した突部９１となっている。又、端子ベース８０は、突部９１から後面にかけて開けられた上面視Ｌ字状の信号端子孔９２ｇ，９２ｓ，９２ｉを、それぞれ有している。更に、端子ベース８０は、上部あるいは下部（上下の切り欠き部の後側）において前面から後面にかけて開けられた電源端子孔９２ｐを、それぞれ有している。
信号端子８２ｇは、上面視Ｌ字状の板であり、信号端子孔９２ｇに入れられる。より詳しくは、信号端子８２ｇは、インサート成形により、端子ベース８０に信号端子孔９２ｇを形成しつつ組み込まれる。信号端子８２ｇの前部左面は、端子ベース８０における窪み部９０以外の左面より僅かに左方に配置されている。又、信号端子８２ｇの後端部は、信号端子孔９２ｇの後端から露出しており、信号線２３ｇと電気的に接続されている。他方、信号端子８２ｓ，８２ｉも、同様に端子ベース８０や信号線２３ｓ，２３ｉと組み合わせられている。かような組み合せにより、端子ベース８０は、信号端子８２ｇ，８２ｓ，８２ｉを保持する。
各電源端子８２ｐは、へら状の板であり、柄の部分が電源端子孔９２ｐに差し込まれることで電源端子孔９２ｐを通過している。かような各電源端子８２ｐの受け入れにより、端子ベース８０は、各電源端子８２ｐを保持している。各電源端子８２ｐの広がった部分は、端子ベース８０の上部前側あるいは下部前側に配置され、中央部にネジ孔を有している。各電源端子８２ｐの後端部は、電源端子孔９２ｐから露出しており、電源線２３ｐと電気的に接続されている。
【００１８】
カバー８４は、樹脂（絶縁体，例えば端子ベース８０より柔らかいポリアミド）製であり、弾力性を有している。カバー８４は、端子ベース８０の後面と、信号線２３ｇ，２３ｓ，２３ｉや各電源線２３ｐの前端部と、信号端子８２ｇ，８２ｓ，８２ｉや各電源端子８２ｐの後端部と、端子ベース８０の窪み部９０と、を覆っている。カバー８４の右面は、端子ベース８０の右面と連続するように揃えられている。カバー８４の左面の前部には、端子ベース８０の突部９１と同寸の空間を有する孔部９３が開けられており、孔部９３内に突部９１が入っている。カバー８４の左面は、端子ベース８０における窪み部９０以外の左面（突部９１の左面ないし左右の切り欠き部の後部の左面）と揃えられている。カバー８４の左面であって、信号端子８２ｇ，８２ｓ，８２ｉの前左端部が露出している部分の周囲には、他の部分より左方に突出する矩形リング状のリング部９４が形成されている。リング部９４の左方への突出量は、信号端子８２ｇ，８２ｓ，８２ｉの前左端部における端子ベース８０左面からの突出量と同程度であり、より詳しくは、信号端子８２ｇ，８２ｓ，８２ｉの前左端部の突出量より僅かに少なく、信号端子８２ｇ，８２ｓ，８２ｉの左端がリング部９４の左端より左方にある。
カバー８４は、端子ベース８０，信号端子８２ｇ，８２ｓ，８２ｉ，信号線２３ｇ，２３ｓ，２３ｉ，各電源端子８２ｐ，各電源線２３ｐが組み合わせられた状態で、ホットメルトを施すことにより一体成型される。かような端子ベース８０とカバー８４との一体成型は、カバー８４が窪み部９０に嵌まる状態でなされている。
カバー８４は、端子ベース８０における複数の面（後面と左面）を覆っており、一面のみを覆う場合に比べて強度の高い状態で端子ベース８０に設けられる。
【００１９】
特に図７（ｂ），（ｄ）に示されるように、端子ユニット２３の最大幅Ｗ１となるカバー８４の最大上下幅ないし端子ベース８０の最大上下幅は、スイッチボックス２４後部における上下の幅Ｗ２より大きい。
スイッチボックス２４の中央部の上下には、それぞれリブ２４ｆが上方ないし下方へ突出し左右方向に延びるように立てられているところ、スイッチボックス２４において端子ユニット２３が取り付けられる部分はリブ２４ｆ以後であり、スイッチボックス２４におけるリブ２４ｆより後方の部分に係る上下の幅Ｗ２は、端子ユニット２３の最大幅Ｗ１より小さい。
【００２０】
他方、スイッチボックス２４は、後部の上下にネジ穴２４ｂを有しており、又各ネジ穴２４ｂの周りに配置された金属板としてのスイッチ側電源端子２４ｃを有している。ネジ穴２４ｂ間の距離と、端子ユニット２３の電源端子８２ｐのネジ孔間の距離は、同等である。各スイッチ側電源端子２４ｃは、スイッチボックス２４内部の図示されない電源配線部に対し、電気的に接続されている。
又、スイッチボックス２４は、後部の中央部において、右方へ開放されたバスタブ状部２４ｄを有しており、バスタブ状部２４ｄ内には、スイッチ側信号端子部２４ｅが取り付けられている。尚、バスタブ状部２４ｄは、スイッチボックス２４のケース（外面部）に形成されている。
スイッチ側信号端子部２４ｅは、３本の前後方向のスリットを有する箱状で樹脂（絶縁体）製のスイッチ側端子ベース１００と、上面視がうねったＣ字状であり金属（導体）製であるスイッチ側信号端子１０２ｇ，１０２ｓ，１０２ｉと、を備えている。スイッチ側信号端子１０２ｇ，１０２ｓ，１０２ｉは、中央部がスイッチ側端子ベース１００のスリット内となるようにそれぞれ配置されており、山型に曲げられた各右部が、スイッチ側端子ベース１００の右面から右方に飛び出している。それら右部の右側の頂点ないしその隣接部には、他の部分より更に右方に膨出する膨出部１０４ｇ，１０４ｓ，１０４ｉがそれぞれ形成されている。他方、スイッチ側信号端子１０２ｇ，１０２ｓ，１０２ｉの直線的な各左部は、バスタブ状部２４ｄの底部の右面と接触した状態で固定されており、スイッチボックス２４内部の図示されない信号線配線部と、それぞれ電気的に接続されている。スイッチ側信号端子１０２ｇ，１０２ｓ，１０２ｉの山型に曲げられた各右部は、湾曲した中間部を介して直線状の左部に支えられており、中間部等によって主に左右方向に作用する弾性が付与されている。
【００２１】
そして、端子ユニット２３は、スイッチボックス２４に対し、各電源端子８２ｐのネジ孔と、それに対応するネジ穴２４ｂとを合わせた状態で、ネジ孔とネジ穴２４ｂに共通するネジ１１０を入れることにより取り付けられる。
このとき、各電源端子８２ｐと、対応するスイッチ側電源端子２４ｃとが接触し、互いに電気的に接続され、互いに導通する。
又、信号端子８２ｇと、対応するスイッチ側信号端子１０２ｇとが接触し、互いに電気的に接続され、互いに導通する。より詳しくは、信号端子８２ｇの前左端部が、スイッチ側信号端子１０２ｇの山型に曲げられた右部の頂点ないしその隣接部、即ち膨出部１０４ｇに接触し、互いに電気的に接続され、互いに導通する。信号端子８２ｓ，８２ｉないしスイッチ側信号端子１０２ｓ，１０２ｉについても、同様である。
端子ユニット２３のカバー８４のリング部９４は、スイッチボックス２４のバスタブ状部２４ｄの底部ではない（底部を囲む）右面に接触し、弾性により圧縮された状態で密着する。リング部９４は、バスタブ状部２４ｄ内のスイッチ側信号端子部２４ｅを囲っている。従って、リング部９４は、互いに導通した信号端子８２ｇ，８２ｓ，８２ｉとスイッチ側信号端子１０２ｇ，１０２ｓ，１０２ｉをシールする（シール部）。かようなリング部９４によるシールは、端子ユニット２３のスイッチボックス２４に対する取り付けにより、信号端子８２ｇ，８２ｓ，８２ｉとスイッチ側信号端子１０２ｇ，１０２ｓ，１０２ｉの導通や、各電源端子８２ｐと対応するスイッチ側電源端子２４ｃとの導通と同時に施される。
【００２２】
又、かような信号端子８２ｇ，８２ｓ，８２ｉとスイッチ側信号端子部２４ｅとの接続により、コントローラ２１につながる信号線２３ｇ，２３ｓ，２３ｉや、端子ユニット２３、スイッチボックス２４によって、図９に示されるような回路が形成される。
即ち、スイッチボックス２４は、回路上では２つのスイッチＳＷｓ，ＳＷｉを有している。
スイッチＳＷｓは、ボタン２４ａが押され始め位置を超える所定位置以上に押されることでオンとなるものであり、スイッチボックス２４のオン信号の切替を行うものである。オン信号は、スイッチ側信号端子１０２ｓから信号端子８２ｓを経て信号線２３ｓに流れ、コントローラ２１に至る。
スイッチＳＷｉは、ボタン２４ａが押され始め位置以上に押されることでオンとなるものであり、スイッチボックス２４の押下開始信号の切替を行うものである。押下開始信号は、スイッチ側信号端子１０２ｉから信号端子８２ｉを経て信号線２３ｉに流れ、コントローラ２１に至る。
スイッチ側信号端子１０２ｇ、ないしは信号端子８２ｇ、信号線２３ｇは、グランドに係るものである。
グラインダ１では、コントローラ２１は、スイッチＳＷｉの作動に基づき発信された押下開始信号の受信により、表示部２２における表示を行い、スイッチＳＷｓの作動に基づき発信されたオン信号の受信により、モータ３６を起動する。又、コントローラ２１は、オン信号の非受信（オフ信号の受信）により、モータ３６を停止し、押下開始信号の非受信（押下開始オフ信号の受信）により、（一定時間待機した後で）表示部２２における表示を止める。スイッチボックス２４を作動させるための電源は、各電源線２３ｐや、電源端子８２ｐ、スイッチ側電源端子２４ｃを通じて、コントローラ２１による制御のもとでバッテリ１６から供給される。
【００２３】
≪動作例等≫
かようなグラインダ１は、例えば次のように動作する。
即ち、作業者は、充電されたバッテリ１６をバッテリ装着部１８に装着し、スライダ３０を前方にスライドしていくと、スライドアーム機構２６によりスイッチボックス２４のボタン２４ａが押され、グラインダ１において、まず表示部２２における表示が、コントローラ２１の制御のもとで行われ、次いでバッテリ１６の電力供給によるモータ３６の駆動が、コントローラ２１の制御のもとで行われる。
コントローラ２１のスイッチング素子は、センサ基板６２の磁気センサにより把握されたロータ５２の回転位置に応じて各駆動コイルのスイッチングを行い、かようなスイッチングによって、ロータ３９（モータ軸５０）が回転する。
モータ軸５０の回転により、ファン６０が回転して各排気口６１から空気が排気され、図示されない吸気口（ハウジング６における排気口６１以外の開口部や隙間を含む）から排気口２４への空気の流れが形成される。空気の流れによって、モータ３６を始めとするインパクトドライバ１の内部機構が冷却される。
モータ軸５０の回転により、ピニオン５６ないしベベルギヤ６２を通じてスピンドル６６が回転する。ピニオン５６の歯数はベベルギヤ６２の歯数より小さいので、スピンドル６６は減速回転する。スピンドル６６の回転により、これに取り付けられた砥石７６が回転して、砥石７６を被加工材に当てることで研磨を施すことができる。
作業者は、スライダ３０の前方へのスライドを解除していくと、スライドアーム機構２６によるスイッチボックス２４のボタン２４ａの押下が解除されていき、グラインダ１において、モータ３６への電力供給が停止されてモータ３６が停止され、又表示部２２における表示が停止される。
【００２４】
かような動作のための、コントローラ２１とスイッチボックス２４との間における信号線２３ｇ，２３ｓ，２３ｉ及び各電源線２３ｐに係る接続は、端子ユニット２３を２本のネジ１１０でスイッチボックス２４に止めるだけで行える。
コントローラ２１又はスイッチボックス２４の一方のみの故障時ないしメンテナンス時には、２本のネジ１１０を外すことで、互いに再接続可能に切り離すことができる。
各電源線２３ｐの接続は、ネジ孔を有する各電源端子８２ｐにより、簡単且つ確実に行われる。
信号線２３ｇ，２３ｓ，２３ｉの接続は、各ネジ１１０の軸力により、信号端子８２ｇ，８２ｓ，８２ｉがスイッチ側信号端子１０２ｇ，１０２ｓ，１０２ｉの膨出部１０４ｇ，１０４ｓ，１０４ｉに押し付けられることで、簡単且つ確実に行われる。かような押し付けにおいて、スイッチ側信号端子１０２ｇ，１０２ｓ，１０２ｉにおける山型の右部が、左右方向への弾性を有することにより、信号端子８２ｇ，８２ｓ，８２ｉ側への付勢力を生じて、当該右部も信号端子８２ｇ，８２ｓ，８２ｉに対して押し付けられる。よって、信号端子８２ｇ，８２ｓ，８２ｉと、スイッチ側信号端子１０２ｇ，１０２ｓ，１０２ｉとは、ネジ１１０の軸力の作用とスイッチ側信号端子１０２ｇ，１０２ｓ，１０２ｉの弾性力の作用とで押し付け合うこととなり、これらの接続ないしその維持が簡単且つ確実に行われる。
又、スイッチ側信号端子１０２ｇ，１０２ｓ，１０２ｉや信号端子８２ｇ，８２ｓ，８２ｉは、スイッチボックス２４外壁のバスタブ状部２４ｄと密着するリング部９４に囲まれる。よって、リング部９４により、防塵や防水がなされる。
更に、端子ユニット２３の最大幅Ｗ１は、端子ユニット２３の取り付け部であるスイッチボックス２４後部における上下の幅Ｗ２より大きい。よって、製造者やメンテナンス者といった取り付け作業者は、取り付け位置に配置される端子ユニット２３について、手や工具の指（把持部）が左面から左方へ出る状態においても指がスイッチボックス２３に当たらずに容易に掴むことができ、端子ユニット２３の取り付け位置への導入や取り付け位置からの取り外しを容易に行うことができる。
【００２５】
≪作用効果等≫
以上のグラインダ１は、押下開始信号やオン信号を伝達する信号線２３ｇ，２３ｓ，２３ｉ及び電力を供給する電源線２３ｐが接続される端子ユニット２３と、端子ユニット２３が取り付けられるスイッチボックス２４と、を備えており、端子ユニット２３は、信号線２３ｇ，２３ｓ，２３ｉと接続される信号端子８２ｇ，８２ｓ，８２ｉと、電源線２３ｐと接続される電源端子８２ｐと、を有しており、スイッチボックス２４は、これに取り付けられた端子ユニット２３における信号端子８２ｇ，８２ｓ，８２ｉと導通するスイッチ側信号端子１０２ｇ，１０２ｓ，１０２ｉと、スイッチボックス２４に取り付けられた端子ユニット２３における電源端子２３ｐと導通するスイッチ側電源端子８２ｐと、を有している。
よって、端子ユニット２３がつながっているコントローラ２１とスイッチボックス２４とについて、端子ユニット２３を取り外すだけで分離することができ、何れか一方のみに係る交換やメンテナンス等が容易に行える。又、スイッチボックス２４に対する各電源線２３ｐの接続と信号線２３ｇ，２３ｓ，２３ｉの接続が、１個の端子ユニット２３の取り付けにより一度に行え、より手間の少ない状態で各電源線２３ｐ及び信号線２３ｇ，２３ｓ，２３ｉを接続することができる。
【００２６】
又、端子ユニット２３は、信号端子８２ｇ，８２ｓ，８２ｉを囲むリング部９４を有している。
よって、信号端子８２ｇ，８２ｓ，８２ｉや、スイッチ側信号端子１０２ｇ，１０２ｓ，１０２ｉ、ないしはこれらの接続部に対して、リング部９４によって防塵や防水を施すことができる。しかも、かような防塵や防水は、端子ユニット２３のスイッチボックス２４に対する取り付けにより、容易に確保される。
【００２７】
更に、信号端子８２ｇ，８２ｓ，８２ｉ及びスイッチ側信号端子１０２ｇ，１０２ｓ，１０２ｉが、互いに接触することで導通するものであり、それら互いに接触する端子同士のうちのスイッチ側信号端子１０２ｇ，１０２ｓ，１０２ｉが、弾性を有することで、接触した信号端子８２ｇ，８２ｓ，８２ｉに対して押し付けられる。
よって、より簡単な構成でより確実に電気的な接続ないしその維持が行われる。
【００２８】
加えて、端子ユニット２３は、信号端子８２ｇ，８２ｓ，８２ｉ及び各電源端子８２ｐを保持する端子ベース８０を有しており、端子ベース８０の外側には、端子ベース８０より柔らかいカバー８４が配置されている。
よって、端子ベース８０によって信号端子８２ｇ，８２ｓ，８２ｉ及び各電源端子８２ｐを支持した状態で柔らかいカバー８４が施されることとなり、各種の端子にカバーが至れば、端子の支持が補強されることになるし、各種の端子とリード線（各電源線２３ｐや信号線８２ｇ，８２ｓ，８２ｉ）の接続部にカバーが至れば、その接続部が保護されて断線が防止されることとなるし、リング部９４を始めとするスイッチボックス２４側にカバー８４が配置されれば、スイッチボックス２４がカバー８４との接触によって一層保護されたり、防塵防水性が向上したりすることとなる。
【００２９】
又、以上のグラインダ１は、押下開始信号やオン信号を伝達する信号線２３ｇ，２３ｓ，２３ｉ及び電力を供給する電源線２３ｐが接続される端子ユニット２３と、端子ユニット２３が取り付けられるスイッチボックス２４と、を備えており、端子ユニット２３は、信号線２３ｇ，２３ｓ，２３ｉと接続される信号端子８２ｇ，８２ｓ，８２ｉと、電源線２３ｐと接続される電源端子８２ｐと、を有しており、スイッチボックス２４は、これに取り付けられた端子ユニット２３における信号端子８２ｇ，８２ｓ，８２ｉと導通するスイッチ側信号端子１０２ｇ，１０２ｓ，１０２ｉと、スイッチボックス２４に取り付けられた端子ユニット２３における電源端子２３ｐと導通するスイッチ側電源端子８２ｐと、を有しており、端子ユニット２３は、互いに導通した信号端子８２ｇ，８２ｓ，８２ｉとスイッチ側信号端子１０２ｇ，１０２ｓ，１０２ｉを、端子ユニット２３のスイッチボックス２４に対する取り付けによりシールするシール部（リング部９４）を有している。
よって、信号端子８２ｇ，８２ｓ，８２ｉや、スイッチ側信号端子１０２ｇ，１０２ｓ，１０２ｉ、ないしはこれらの接続部に対して、シールを施すことができる。しかも、シールは、端子ユニット２３の取り付けにより、信号端子８２ｇ，８２ｓ，８２ｉとスイッチ側信号端子１０２ｇ，１０２ｓ，１０２ｉとの接続、並びに電源端子２３ｐとスイッチ側電源端子８２ｐとの接続と同時に、手間なく施される。
【００３０】
≪変更例等≫
尚、本発明は、上記形態に限定されるものではない。例えば、上記形態は、次にそれぞれ示す変更例に、適宜変更することができる。
端子ユニットの端子ベースの左面上下から左方に突出する円柱状のガイドピン（突体）が設けられると共に、スイッチボックスのバスタブ部の上下に、対応するガイドピンが入る左右方向の丸孔（ガイド）が設けられても良い。
この場合、端子ユニットは突体を有しており、スイッチボックスは、突体を案内するガイドを有している。
よって、端子ユニットがスイッチボックスに対して適切な取り付け位置に案内され、端子同士の接続が確保されるし、取り付けのためのネジ締めの前の仮置き（仮取り付け）を確実に行えるし、端子ユニットのネジ孔とスイッチボックスのネジ穴が合致してネジ締め（取り付け）が簡単確実に行われる。
尚、突体は円柱状のガイドピンに限られないし、ガイドは丸孔に限られず、例えば角柱状のピンと角穴のガイドであっても良いし、リブとこれを受け入れるレールであっても良い。又、突体は、端子ベースに代えて、あるいはこれと共に、カバーに設けられても良い。更に、突体がスイッチボックスに設けられてガイドが端子ユニットに設けられても良いし、突体とガイドが端子ユニットに設けられると共にこれらをそれぞれ受け入れるガイドと突体がスイッチボックスに設けられるといったように、突体とガイドが混在しても良い。
【００３１】
端子ユニットのカバーは、弾性を有していなくても良いし、端子ベースの左面や右面等と揃えられていなくても良いし、右面上に回り込んでいても良いし、ホットメルトに代えて、インサート成形や、低温低圧射出成形等により形成されても良い。信号端子についても、インサート成形以外により形成されても良い。電源端子がインサート成形によって端子ベースに入れられても良く、信号端子が差し込みにより端子ベースに入れられても良い。
端子ユニットの信号端子は、Ｌ字状の板形状でなくても良いし、左端が端子ユニットのリング部の左端と揃えられていても良い。スイッチボックスの電源端子部は、ネジ穴の周囲以外に配置されても良く、又板状でなくても良い。
端子ユニットやスイッチボックス等における端子や配線の位置や種類等は、信号端子８２ｇや信号線２３ｇが下や中央に配置されたり、信号端子がブラシレスモータのロータ回転位置に係る信号あるいは各種センサの検出信号若しくは各種の制御信号を伝えるものとされたり、信号線の本数が２本以下又は４本以上とされたり、電源線の本数が１本又は３本以上とされたり、電源線の外側に信号線が配置されたりする等、適宜変更可能である。
端子ユニットは、スイッチボックスの右側ではなく、上側等に取り付けられても良い。
信号端子のみ、あるいは信号端子とスイッチ側信号端子の双方に弾性を付与することで、信号端子とスイッチ側信号端子の一方が他方に押し付けられる（互いに押し付け合う）ようにしても良いし、電源端子とスイッチ側電源端子の少なくとも一方が弾性を有するようにしても良い。
電源線と電源端子との電気的な接続は、ハンダ付けでなされても良いし、スポット溶接でなされても良いし、コネクタでなされても良い。信号線と信号端子との電気的な接続についても、同様である。これらの接続において、複数の態様が混在しても良い。
リング部は、信号端子の一部のみを囲んでも良いし、電源端子の一部又は全部のみを囲んでも良いし、信号端子及び電源端子の一部又は全部を囲んでも良い。即ち、シール部は、互いに導通した信号端子とスイッチ側信号端子の一部のみをシールしても良いし、互いに導通した電源端子とスイッチ側電源端子の一部又は全部のみをシールしても良いし、互いに導通した信号端子とスイッチ側信号端子、及び、互いに導通した電源端子とスイッチ側電源端子、の一部又は全部をシールしても良い。又、リング部の左方への突出量と信号端子の左方への突出量との関係は、信号端子がこれに対応するスイッチ側信号端子と接触すると共にリング部によりシールされればどのようなものであっても良く、例えばリング部の左方への突出量は、信号端子の左方への突出量より多くても良い。リング部は、スイッチボックスのみに設けられても良いし、端子ユニットとスイッチボックスとに設けられても良い。
スイッチボックスの押下開始信号の発信に基づいて作動する部品は、表示部に代えて、あるいはこれと共に、ライト等であっても良い。又、スイッチボックスの押下開始信号の発信を省略し、表示部がモータと同様に作動するものとされても良い。
【００３２】
モータのオンオフ操作（スイッチボックスの操作）を行うものに関し、スライドアーム機構に代えて、パドルスイッチが用いられても良い。
モータとスピンドルの間等に、モータのオフ時において回転する部材に対してブレーキをかけるブレーキ機構が設けられても良い。
ハウジングは、更にリヤカバーが設けられたり、本体ハウジングとベアリングリテーナとが共通化されたり、ギヤハウジングとベアリングリテーナとが共通化されたり、本体ハウジングとギヤハウジングが共通化されたりする等、適宜変更可能である。
端子ユニットをスイッチボックスに取り付けるためのネジについて、端子ベースを通過するネジのみとされたり、若しくは電源端子を固定するネジと端子ベースを固定するネジが併用されたり、あるいは、端子ユニットが爪を始めとする係止部を有すると共にスイッチボックスが爪を受け入れる凹部を始めとする被係止部を有するようにして、端子ユニットがスイッチボックスに取り付けられるようにしたり、ハウジングやスイッチボックスや端子ユニットのリブや突体が別体で形成されて固定されるようにしたり、スイッチボックス等のリブが適宜省略されたり、スイッチボックスがボタンの押し込み量に応じてモータ軸の速度を変える（例えば押し込み量が大きいほどモータ軸を速く回転させる）ものとされたり、各種の端子が板状ではなくブロック状とされたり、バッテリの電圧が変更されたりする等、各種の機構，部材，部分の数量，形状や材質，取り付け態様，支持態様等は適宜変更されて良い。
【００３３】
スイッチボックスに対し取り付けられる端子ユニットに代えて、あるいはこれと共に、コントローラに対し取り付けられる端子ユニットが設けられても良い。スイッチボックスに対し取り付けられる第１の端子ユニット、及びコントローラに対し取り付けられる第２の端子ユニットの双方が設けられる場合、スイッチボックス，コントローラ，両側に端子ユニットを有するリード線（群）即ちリード線ユニットという３つの部分に分離することができる。
端子ユニットに入る電源線や信号線が接続される部材は、コントローラに限られず、バッテリ装着部の端子台等であっても良い。
又、端子ユニットの取り付け先の部品は、スイッチボックスに限られず、例えば、制御信号やセンサ信号の送受信用の信号線と駆動用の電源線とが接続されるモータであっても良い。
グラインダは、バッテリ装着部を備えたバッテリ駆動（ＤＣ）のものに限られず、商用電源に接続するためのコードを備えた商用電源駆動（ＡＣ）のものであっても良い。
更に、本発明は、グラインダのみならず、サンダを始めとする他の電動工具、ないしはその電動工具における様々な部品に対して適用することができる。
【符号の説明】
【００３４】
１・・グラインダ（電動工具）、２３・・端子ユニット、２３ｇ，２３ｓ，２３ｉ・・信号線、２３ｐ・・電源線、２４・・スイッチボックス（部品）、２４ｃ・・スイッチ側電源端子（部品側電源端子）、８０・・端子ベース、８２ｇ，８２ｓ，８２ｉ・・信号端子、８２ｐ・・電源端子、８４・・カバー、９４・・リング部（シール部）、１０２ｇ，１０２ｓ，１０２ｉ・・スイッチ側信号端子（部品側信号端子）。
【図１】
2018192580.tif 000003
【図２】
2018192580.tif 000004
【図３】
2018192580.tif 000005
【図４】
2018192580.tif 000006
【図５】
2018192580.tif 000007
【図６】
2018192580.tif 000008
【図７】
2018192580.tif 000009
【図８】
2018192580.tif 000010
【図９】
2018192580.tif 000011
【手続補正書】
【提出日】平成30年4月25日(2018.4.25)
【手続補正１】
【補正対象書類名】明細書
【補正対象項目名】０００７
【補正方法】変更
【補正の内容】
【０００７】
【図１】本発明に係るグラインダの斜視図である。
【図２】図１の縦中央断面図である。
【図３】図１の横中央断面図である。
【図４】図１における本体ハウジング左部及び一部の部材の斜視図である。
【図５】図１における端子ユニットないしスイッチの右面・下面・後面が現れた（ａ）斜視図，（ｂ）分解斜視図である。
【図６】図５における端子ユニットの左面・上面・後面が現れた（ａ）斜視図，（ｂ）分解斜視図である。
【図７】図５における端子ユニットないしスイッチの（ａ）下面図，（ｂ）右面図，（ｃ）（ｂ）のＢ−Ｂ線断面図，（ｄ）同Ａ−Ａ線断面図である。
【図８】（ａ）は図５におけるスイッチのスイッチ側信号端子部を離した斜視図，（ｂ）は同端子部の斜視図，（ｃ）は同端子部の下面図，（ｄ）は同端子部の中央縦断面図である。
【図９】図５における端子ユニットないしスイッチの信号線に係る回路図である。
【手続補正２】
【補正対象書類名】明細書
【補正対象項目名】００１２
【補正方法】変更
【補正の内容】
【００１２】
スイッチボックス２４のボタン２４ａは、スライドアーム機構２６により操作される。
スライドアーム機構２６は、スライダ３０と、アーム３１と、シーソー片３２と、を備えている。
スライダ３０は、本体ハウジング８の前端部外面において、前後にスライド可能に設けられている。スライダ３０の下部は、下方に突出する突出片３０ａとなっており、本体ハウジング８内に入っている。
アーム３１は、本体ハウジング８内の上部において前後に延びるように配置されている。アーム３１の前端部には前孔３１ａが開けられており、前孔３１ａにはスライダ３０の突出片３０ａが入れられている。アーム３１は、前後にスライド可能に設けられている。
シーソー片３２は、中央に横孔を有する板状の部材で、本体ハウジング８内において左右方向に設けられた軸３３に横孔を入れ、上下に延びた状態で、軸３３周りで揺動可能に設けられている。シーソー片３２の上部は、アーム３１の後端部に開けられた後孔３１ｂに入っており、シーソー片３２の下部は、スイッチボックス２４のボタン２４ａの前に配置されている。
スライダ３０が前に押されると、突出片３０ａないし前孔３１ａを介してアーム３１が前方に移動し、シーソー片３２の上部が後孔３１ｂを介してアーム３１と共に前方に移動することで、シーソー片３２が軸３３周りで揺動して、シーソー片３２の下部がボタン２４ａを押下する。スライダ３０の前方へのスライド量に応じ、ボタン２４ａの押下量が変化する。
【手続補正３】
【補正対象書類名】明細書
【補正対象項目名】００２３
【補正方法】変更
【補正の内容】
【００２３】
≪動作例等≫
かようなグラインダ１は、例えば次のように動作する。
即ち、作業者は、充電されたバッテリ１６をバッテリ装着部１８に装着し、スライダ３０を前方にスライドしていくと、スライドアーム機構２６によりスイッチボックス２４のボタン２４ａが押され、グラインダ１において、まず表示部２２における表示が、コントローラ２１の制御のもとで行われ、次いでバッテリ１６の電力供給によるモータ３６の駆動が、コントローラ２１の制御のもとで行われる。
コントローラ２１のスイッチング素子は、センサ基板４６の磁気センサにより把握されたロータ３９の回転位置に応じて各駆動コイルのスイッチングを行い、かようなスイッチングによって、ロータ３９（モータ軸５０）が回転する。
モータ軸５０の回転により、ファン６０が回転して各排気口６１から空気が排気され、図示されない吸気口（ハウジング６における排気口６１以外の開口部や隙間を含む）から排気口６１への空気の流れが形成される。空気の流れによって、モータ３６を始めとするグラインダ１の内部機構が冷却される。
モータ軸５０の回転により、ピニオン５６ないしベベルギヤ６２を通じてスピンドル６６が回転する。ピニオン５６の歯数はベベルギヤ６２の歯数より小さいので、スピンドル６６は減速回転する。スピンドル６６の回転により、これに取り付けられた砥石７６が回転して、砥石７６を被加工材に当てることで研磨を施すことができる。
作業者は、スライダ３０の前方へのスライドを解除していくと、スライドアーム機構２６によるスイッチボックス２４のボタン２４ａの押下が解除されていき、グラインダ１において、モータ３６への電力供給が停止されてモータ３６が停止され、又表示部２２における表示が停止される。
【手続補正４】
【補正対象書類名】明細書
【補正対象項目名】００２４
【補正方法】変更
【補正の内容】
【００２４】
かような動作のための、コントローラ２１とスイッチボックス２４との間における信号線２３ｇ，２３ｓ，２３ｉ及び各電源線２３ｐに係る接続は、端子ユニット２３を２本のネジ１１０でスイッチボックス２４に止めるだけで行える。
コントローラ２１又はスイッチボックス２４の一方のみの故障時ないしメンテナンス時には、２本のネジ１１０を外すことで、互いに再接続可能に切り離すことができる。
各電源線２３ｐの接続は、ネジ孔を有する各電源端子８２ｐにより、簡単且つ確実に行われる。
信号線２３ｇ，２３ｓ，２３ｉの接続は、各ネジ１１０の軸力により、信号端子８２ｇ，８２ｓ，８２ｉがスイッチ側信号端子１０２ｇ，１０２ｓ，１０２ｉの膨出部１０４ｇ，１０４ｓ，１０４ｉに押し付けられることで、簡単且つ確実に行われる。かような押し付けにおいて、スイッチ側信号端子１０２ｇ，１０２ｓ，１０２ｉにおける山型の右部が、左右方向への弾性を有することにより、信号端子８２ｇ，８２ｓ，８２ｉ側への付勢力を生じて、当該右部も信号端子８２ｇ，８２ｓ，８２ｉに対して押し付けられる。よって、信号端子８２ｇ，８２ｓ，８２ｉと、スイッチ側信号端子１０２ｇ，１０２ｓ，１０２ｉとは、ネジ１１０の軸力の作用とスイッチ側信号端子１０２ｇ，１０２ｓ，１０２ｉの弾性力の作用とで押し付け合うこととなり、これらの接続ないしその維持が簡単且つ確実に行われる。
又、スイッチ側信号端子１０２ｇ，１０２ｓ，１０２ｉや信号端子８２ｇ，８２ｓ，８２ｉは、スイッチボックス２４外壁のバスタブ状部２４ｄと密着するリング部９４に囲まれる。よって、リング部９４により、防塵や防水がなされる。
更に、端子ユニット２３の最大幅Ｗ１は、端子ユニット２３の取り付け部であるスイッチボックス２４後部における上下の幅Ｗ２より大きい。よって、製造者やメンテナンス者といった取り付け作業者は、取り付け位置に配置される端子ユニット２３について、手や工具の指（把持部）が左面から左方へ出る状態においても指がスイッチボックス２４に当たらずに容易に掴むことができ、端子ユニット２３の取り付け位置への導入や取り付け位置からの取り外しを容易に行うことができる。
【手続補正５】
【補正対象書類名】明細書
【補正対象項目名】００２８
【補正方法】変更
【補正の内容】
【００２８】
加えて、端子ユニット２３は、信号端子８２ｇ，８２ｓ，８２ｉ及び各電源端子８２ｐを保持する端子ベース８０を有しており、端子ベース８０の外側には、端子ベース８０より柔らかいカバー８４が配置されている。
よって、端子ベース８０によって信号端子８２ｇ，８２ｓ，８２ｉ及び各電源端子８２ｐを支持した状態で柔らかいカバー８４が施されることとなり、各種の端子にカバーが至れば、端子の支持が補強されることになるし、各種の端子とリード線（各電源線２３ｐや信号線２３ｇ，２３ｓ，２３ｉ）の接続部にカバーが至れば、その接続部が保護されて断線が防止されることとなるし、リング部９４を始めとするスイッチボックス２４側にカバー８４が配置されれば、スイッチボックス２４がカバー８４との接触によって一層保護されたり、防塵防水性が向上したりすることとなる。
【手続補正６】
【補正対象書類名】明細書
【補正対象項目名】００３０
【補正方法】変更
【補正の内容】
【００３０】
≪変更例等≫
尚、本発明は、上記形態に限定されるものではない。例えば、上記形態は、次にそれぞれ示す変更例に、適宜変更することができる。
端子ユニットの端子ベースの左面上下から左方に突出する円柱状のガイドピン（突体）が設けられると共に、スイッチボックスのバスタブ状部の上下に、対応するガイドピンが入る左右方向の丸孔（ガイド）が設けられても良い。
この場合、端子ユニットは突体を有しており、スイッチボックスは、突体を案内するガイドを有している。
よって、端子ユニットがスイッチボックスに対して適切な取り付け位置に案内され、端子同士の接続が確保されるし、取り付けのためのネジ締めの前の仮置き（仮取り付け）を確実に行えるし、端子ユニットのネジ孔とスイッチボックスのネジ穴が合致してネジ締め（取り付け）が簡単確実に行われる。
尚、突体は円柱状のガイドピンに限られないし、ガイドは丸孔に限られず、例えば角柱状のピンと角穴のガイドであっても良いし、リブとこれを受け入れるレールであっても良い。又、突体は、端子ベースに代えて、あるいはこれと共に、カバーに設けられても良い。更に、突体がスイッチボックスに設けられてガイドが端子ユニットに設けられても良いし、突体とガイドが端子ユニットに設けられると共にこれらをそれぞれ受け入れるガイドと突体がスイッチボックスに設けられるといったように、突体とガイドが混在しても良い。